(57)【要約】【課題】  突発的な事故や各種の危険から身を守るのに適し、不意に刃物で切りつけられた場合でも容易に切り裂かれることがなくて防護機能が高く、しかも、軽量で気軽に着用することができるようにする。【解決手段】  この考案の保護衣料は、帽子２のクラウン部２ａの裏地側の形状に沿うように、シェル材３、クッション材４、および防刃布５が一体的に積層されて構成されていることにより、帽子のクラウン部の裏地側に簡単に装着することができ、かつ、軽量、薄型であるため、子供や老人を含めて誰でも気軽に着用することができる。そして、転倒や転落などの突発的な事故が生じた場合でもシェル材やクッション材によって頭部を有効に保護することができる。しかも、不意に刃物で頭部が切りつけられた場合でも防刃布によって容易に切り裂かれることがないので、高い防護機能を発揮することができる。【選択図】  図１
0003114937.tif 000002
【実用新案登録請求の範囲】
【請求項１】
帽子のクラウン部の裏地側の形状に沿うように略半球状に形成されたシェル材およびクッション材に対し、さらに防刃布が積層されていることを特徴とする保護衣料。
【請求項２】
表裏いずれか一方を赤色の布地とし、他方を白色の布地としたリバーシブルの児童用帽子であって、前記両布地の間にクッション材が介在され、さらに上記クッション材に防刃布が積層されているていることを特徴とする保護衣料。
【請求項３】
裏地側のいずれかの箇所に金属製のプロテクタ材が収納され、さらに裏地全体に防刃布が縫い付けられていることを特徴とする保護衣料。
【考案の詳細な説明】
【技術分野】
【０００１】
本考案は、突発的な事故や各種の危険から身を守るのに適したインナーヘルメット、児童用帽子、および衣服等の保護衣料に関する。
【背景技術】
【０００２】
近年、暴漢によって路上で不意に刃物で斬りつけられるという通り魔的な障害事件が多発しており、特に弱者である幼児や児童がその対象になり易いという危険性がある。また、普通の日常生活においても、歩行中に躓いて転倒したり、階段で足を滑らして転落するなどして頭部を強打することがある。特に、高齢者社会の到来により、足腰の弱った老人が増えると、これに伴ってこのような突発的な転倒事故が多発する恐れがある。また、親が子供を自転車に同乗させて育児施設に送り迎えするような場合に、バランスを失って転倒し、本人のみならず同乗させていた子供が頭部を損傷することがある。さらに、スポーツ時においても色々な危険性にさらされることがある。例えば、子供の体育の授業では、跳び箱や鉄棒などの種目を学習させることがあるが、その際に誤って頭部を打つような事故にあう恐れがあり、また、ゴルフをしている際に突然にボールが飛んできて頭部に当たるなどの恐れがある。
【０００３】
このような各種の危険や突発的な事故から身を守るためには、頭部や身体を保護することが好ましい。この場合、頭部を保護する防具として、例えばヘルメットがあるが、従来のヘルメットは、強化プラスチックでできたシェルを主体に構成されていて、クッション材も分厚いものであるために全体に重たく、かつ使用感も悪いので、特に子供や老人が気軽に着用することが難しい。また、身体の防護のために、革製のものや厚手の衣服を着用させると、衣服が重たくなって活動しにくく不便であり、しかも夏場は蒸し暑くなってしまうきらいがある。
【０００４】
ところで、従来技術では、頭部を保護するために、クラウン部の裏地側に緩衝材を面ファスナーなどで着脱自在に取り付けるようにした保護用帽子が提供されている（例えば、特許文献１参照）。また、他の従来技術では、ハニカム構造の袋体の内部に粒状物質を充填したシートを用いた保護用衣服が提供されている（例えば、特許文献２参照）。
【０００５】
【特許文献１】実用新案登録第３０９２０４６号公報
【特許文献１】特開２０００−２２５１３４号公報
【考案の開示】
【考案が解決しようとする課題】
【０００６】
上記の特許文献１に記載されている保護用帽子は、通常のヘルメットよりも軽く、しかも頭部に加わる衝撃を有る程度まで保護することが可能であるが、単なる布地の内部に緩衝材を取り付けただけの構造であるので、不意に刃物で切りつけられた場合には、布地が比較的簡単に切り裂かれてしまう。このため、傷害を受けるのを有効に防止する上で不十分である。
【０００７】
また、特許文献２に記載されている保護用衣服については、ハニカム構造の袋体に空気を充填することで衝撃吸収作用を発揮できるものの、不意に刃物で切りつけられた場合には、比較的容易に切り裂かれてしまうため、傷害から身を守る上で未だ不十分である。
【０００８】
本考案は、上記課題を解決するためになされたもので、突発的な事故や各種の危険から身を守るのに適し、また不意に刃物で切りつけられた場合でも容易に切り裂かれることがなくて防護機能が高く、しかも、軽量で気軽に着用することができる保護衣料を提供することを目的とする。
【課題を解決するための手段】
【０００９】
上記の目的を達成するために、本考案は、次の構成を採用している。
【００１０】
請求項１記載の考案に係る保護衣料は、帽子のクラウン部の裏地側の形状に沿うように略半球状に形成されたシェル材およびクッション材に対し、さらに裏面に防刃布が積層されていることを特徴としている。
【００１１】
請求項２記載の考案に係る保護衣料は、表裏いずれか一方を赤色の布地とし、他方を白色の布地としたリバーシブルの児童用帽子であって、前記両布地の間にクッション材が介在され、さらに上記クッション材に防刃布が積層されていることを特徴としている。
【００１２】
請求項３記載の考案に係る保護衣料は、裏地側のいずれかの箇所に金属製のプロテクタ材が収納され、さらに裏面に防刃布が積層されていることを特徴としている。
【考案の効果】
【００１３】
上記請求項１〜３の保護衣料は、いずれも、防刃布が積層されていることから、不意に刃物で切りつけられたり、転倒の際に金属片等に擦れた場合でも、防刃布によって容易に切り裂かれることがないので、高い防護機能を発揮することができる。
【００１４】
しかも、請求項１記載の考案に係る保護衣料は、帽子のクラウン部の裏地側に簡単に装着することができ、かつ、軽量、薄型であるため、子供や老人を含めて誰でも気軽に着用することができる。そして、転倒や転落などの突発的な事故が生じた場合でもシェル材やクッション材によって頭部に加わる衝撃が緩和されるので、頭部を有効に保護することができる。また、不意に刃物で頭部が切りつけられた場合でも防刃布によって容易に切り裂かれることがないので、高い防護機能を発揮することができる。
【００１５】
しかも、請求項２記載の考案に係る保護衣料は、赤色と白色の布地の間にクッション材と防刃布が介在されているので、子供の体育の授業において跳び箱や鉄棒などの種目を学習させる際に、転倒、落下により誤って頭部を打ち付けてもクッション材によって頭部に加わる衝撃が緩和されるので、頭部を有効に保護することができる。また、刃物で頭部が切りつけられた場合でも防刃布によって容易に切り裂かれることがないので、高い防護機能を発揮することができる。
【００１６】
しかも、請求項３記載の考案に係る保護衣料は、裏地全体に防刃布が縫い付けられているので、不意に刃物で頭部が切りつけられた場合でも防刃布があるために容易に切り裂かれることがなく、高い防護機能を発揮することができる。しかも、革製のものや厚手のものを使用する場合に比べて全体を軽量にできるため、活動し易く、夏場でも蒸し暑くなることがないので快適で、誰でも気軽に着用することができる。特に、胸部と背中部のいずれかの箇所に金属製のプロテクタ材をさらに収納した構成としておけば、一層高い防護機能を得ることができる。
【考案を実施するための最良の形態】
【００１７】
実施の形態１．
図１は本考案の保護衣料をインナーヘルメットに適用したものの縦断面図、図２は同インナーヘルメットを帽子に装着する状態を示す斜視図である。
【００１８】
この実施の形態１のインナーヘルメット１は、帽子２のクラウン部２ａの裏地側の形状に沿うように、シェル材３、クッション材４、および防刃布５が一体的に積層されて構成されている。そして、このインナーヘルメット１の適宜箇所には蒸れ防止用の通気孔６が形成されている。
【００１９】
上記のシェル材３は、外部からの局部的な衝撃を直接受け止めてその衝撃エネルギーを広い面積に分散するもので、例えば薄肉に形成されたポリカーボネート、ポリエチレン、ポリイミド、ＡＢＳ樹脂等のプラスチック材料が適用される。また、クッション材４は、シェル材３で分散された衝撃エネルギーを吸収緩和するもので、例えばポリエチレンエラストマーやテンピュールなどの材料が適用される。防刃布５は、刃物で容易に切り裂かれることがない特性を有するもので、例えばポリアミド繊維やアラミド繊維などでできた布材料が適用される。そして、シェル材３の厚みは０．５ｍｍ〜４ｍｍ程度、クッション材４の厚みは１〜５ｍｍ程度、防刃布５の厚みは０．２〜２ｍｍ程度であり、また、全体の重さは２００〜１０００ｇ程度であって、薄肉で軽量なものとなっている。
【００２０】
また、上記シェル材３、クッション材４、防刃布５に加えて、熱感応性合成繊維からなる熱感応布（図示せず）を積層することもできる。このようにすることにより、頭部の熱の冷却効果が得られ、蒸れや不快感を低減することができる。上記熱感応布を構成する熱感応性合成繊維としては、エチレン−ビニルアルコール系繊維であるＳＯＰＨＩＳＴＡ（商標；クラレ社）、ポリエステル系繊維であるＣＯＯＬＭＡＸ（商標；ＤＵＰＯＮ社）等をあげることができる。
【００２１】
このインナーヘルメット１の使用に際しては、図２に示すように、帽子２のクラウン部２ａの裏地側にこれを装着するだけでよい。この場合、人の頭部の大きさには個人差があるので、帽子２のクラウン部２ａの大きさも各種サイズのものがある。したがって、インナーヘルメット１についても、帽子２の大きさに応じて各種サイズのものを予め作成しておけば、何ら支障なく使用することができる。また、この実施の形態１では、帽子２の種類が運動帽の場合を示しているが、帽子２の種類は特に制約はなく、必要に応じて各種形式の帽子に装着することができる。
【００２２】
このように、この実施の形態１のインナーヘルメット１は、帽子２のクラウン部２ａの裏地側に簡単に装着することができ、かつ、軽量、薄型であるため、子供や老人を含めて誰でも気軽に着用することができる。また、このインナーヘルメット１を帽子２に装着していても外部からは一見して分からないので、帽子２のファッション性を損なうことがない。
【００２３】
そして、転倒や転落などの突発的な事故が生じた場合には、シェル材３やクッション材４によって頭部に加わる衝撃が緩和されるので、頭部を有効に保護することができる。しかも、不意に刃物で頭部が切りつけられた場合でも防刃布５があるために容易に切り裂かれることがなく、高い防護機能を発揮することができる。
【００２４】
なお、この実施の形態１ではシェル材３と防刃布５との間にクッション材４を設けているが、シェル材３とクッション材４との間に防刃布５を設けた構成とすることも可能である。
【００２５】
また、この実施の形態１では、インナーヘルメット１を帽子２のクラウン部２ａの裏地側に単に装着するようにしているが、予め防刃布２ａの一部をインナーヘルメット１の下縁よりも下方にはみ出すようにしておき、そのはみ出し部分と帽子２のクラウン部２ａの裏地側にそれぞれ面ファスナーを取り付けて両者を接合することにより、インナーヘルメット１と帽子２との間の位置ずれを防止する構成とすることも可能である。
【００２６】
また、この実施の形態１において、インナーヘルメット１は、帽子２のクラウン部２ａの裏地内に完全に収まるように形成しているが、安全性を優先する場合には、インナーヘルメット１が帽子２からはみ出して後頭部を広く覆う形状に形成することも可能である。
【００２７】
実施の形態２．
図３は本考案の保護衣料を児童用帽子に適用したものの縦断面図である。
【００２８】
この実施の形態２における児童用帽子１０は、クラウン部１０ａおよびひさし部１０ｂにわたって表裏いずれか一方を赤色の布地１１とし、他方を白色の布地１２としたリバーシブルのいわゆる紅白帽であって、両布地１１，１２の間に防刃布１３とクッション材１４とが介在されている。この場合の防刃布１３やクッション材１４の材料としては、実施の形態１の場合と同様のものが適用される。
【００２９】
このように、この実施の形態２の児童用帽子１０は、両布地１１，１２の間に防刃布１３とクッション材１４とが介在されているので、従来と同様、表裏を入れ替えることで、赤色と白色にリバーシブルに使用することができる。また、跳び箱や鉄棒などの種目を学習させる際にこの児童用帽子１０を着用すれば、転倒、落下により誤って頭部を打ってもクッション材１４によって頭部に加わる衝撃が緩和されるので、頭部を有効に保護することができる。さらに、この児童用帽子１０を着用しておけば、不意に刃物で頭部が切りつけられた場合でも防刃布１３があるために容易に切り裂かれることがなく、高い防護機能を発揮することができる。
【００３０】
なお、この実施の形態２では、赤色の布地１１の下に防刃布１３を、この防刃布１３の下にクッション材１４を順次配置しているが、赤色の布地１１の下にクッション材１４を、このクッション材１４の下に防刃布１３を順次配置した構成とすることも可能である。
【００３１】
また、上記クッション材１４、防刃布１３に加えて、熱感応性合成繊維からなる熱感応布（図示せず）を積層することもできる。このようにすることにより、頭部の熱の冷却効果が得られ、蒸れや不快感を低減することができる。上記熱感応布を構成する熱感応性合成繊維としては、エチレン−ビニルアルコール系繊維であるＳＯＰＨＩＳＴＡ（商標；クラレ社）、ポリエステル系繊維であるＣＯＯＬＭＡＸ（商標；ＤＵＰＯＮ社）等をあげることができる。
【００３２】
実施の形態３．
図４は本考案の保護衣料を衣服に適用したものの正面図、図５は同衣服において裏地が見えるように一部を折り返した正面図、図６は同衣服の背面図である。
【００３３】
この実施の形態３における衣服２０は、ベストとして成型されたもので、表地２１にはデニム生地が使用される一方、裏地全体に防刃布２２が縫い付けられている。この場合の防刃布２２は、実施の形態１の場合と同様、刃物で容易に切り裂かれることがない特性を有するもので、例えばポリアミド繊維、ケブラー繊維、アラミド繊維できた布材料が使用される。
【００３４】
さらに、この実施の形態３の衣服２０は、胸部の心臓側および背中上部の各位置において、各裏地側の防刃布２２にポケット部２３，２４が形成されており、各ポケット部２３，２４内に金属製のプロテクタ材２５が収納されている。この場合のプロテクタ材２５としては、防護機能が高く、かつ軽量で錆びなどが生じないような材料、例えばステンレス製メッシュが適用されるが、薄肉のステンレス板であってもよい。
【００３５】
また、上記防刃布２２に加えて、熱感応性合成繊維からなる熱感応布（図示せず）を積層することもできる。このようにすることにより、頭部の熱の冷却効果が得られ、蒸れや不快感を低減することができる。上記熱感応布を構成する熱感応性合成繊維としては、エチレン−ビニルアルコール系繊維であるＳＯＰＨＩＳＴＡ（商標；クラレ社）、ポリエステル系繊維であるＣＯＯＬＭＡＸ（商標；ＤＵＰＯＮ社）等をあげることができる。
【００３６】
このように、この実施の形態３の衣服２０は、裏地全体に防刃布２２が縫い付けられているので、不意に刃物で頭部が切りつけられた場合でも防刃布２２によって容易に切り裂かれることがなく、高い防護機能を発揮することができる。しかも、革製のものや厚手のものを使用する場合に比べて全体を軽量にできるため、活動し易く、夏場でも蒸し暑くなることはなくて快適である。
【００３７】
また、特に、胸部の心臓側と背中上部の箇所に設けたポケット部２３，２４内に金属製のプロテクタ材２５を収納した構成としておけば、致命傷を負わされることがないため、裏地側に防刃布２２と相俟ってさらに一層高い防護機能を得ることができて好ましい。
【００３８】
なお、この実施の形態３では、衣服２０としてベストの場合を例にとって説明したが、これに限るものではなく、各種の衣服に適用することができるのは勿論である。
【図面の簡単な説明】
【００３９】
【図１】本考案の実施の形態１におけるインナーヘルメットの縦断面図である。
【図２】同インナーヘルメットを帽子に装着する状態を示す斜視図である。
【図３】本考案の実施の形態２における児童用帽子の縦断面図である。
【図４】本考案の実施の形態３における衣服の正面図である。
【図５】同衣服において裏地が見えるように一部を折り返した正面図である。
【図６】同衣服の背面図である。
【符号の説明】
【００４０】
１    インナーヘルメット
２    帽子
２ａ  クラウン部
３    シェル材３
４    クッション材
５    防刃布
６    通気孔
１０    児童用帽子
１０ａ  クラウン部
１０ｂ  ひさし部
１１    赤色の布地
１２    白色の布地
１３    防刃布
１４    クッション材
２０    衣服
２１    表地
２２    防刃布
２３    ポケット部
２４    ポケット部
２５    プロテクタ材
【図１】
0003114937.tif 000003
【図２】
0003114937.tif 000004
【図３】
0003114937.tif 000005
【図４】
0003114937.tif 000006
【図５】
0003114937.tif 000007
【図６】
0003114937.tif 000008